(57)【要約】【課題】立体パズルを操作する面白さを高め、興味を引き立てて、一般のキュービックよりチャレンジ性の高い遊び方ができる立体パズルにおける図の貼り方および立体パズル構造を提供する。【解決手段】立体パズルのキューブにはトリックが設けられていて、数個の共用する図案キューブ、多種類の解答方法を持ち、その提供する数種の解答方法によって三種のそれぞれ異なる図案が得られ、いずれの解答も六面の図案になっていて、このため、三種類の解答は全部で十八種類の図案が現れることになる。【選択図】  図２
2007143707.tif 000002
【特許請求の範囲】
【請求項１】
２７個のキューブがＡ、Ｂ、Ｃの三段に配列され、合計９列あり、
ステップａ、全部で２７個の立体キューブに図案を貼り、Ｂ段の４列、Ｂ段の９列、Ｃ段の２列、Ｃ段の８列にはトリック用の図案を貼って、完成後、各段を横に並べるのを基本とし、各段は全て前に９０度回転させ、
ステップｂ、第二面の図を貼り、Ａ段１列、Ａ段３列、Ｂ段３列、Ｃ段１列、Ｃ段３列にトリック用の図案３０を貼って、完成後、各段を横に並べるのを基本とし、各段は全て前に９０度回転させ、
ステップｃ、第三面の図を貼り、Ａ段２列、Ａ段6列、Ａ段7列、Ｂ段４列、Ｂ段９列にトリック用の図案３０を貼って、完成後、各段を横に並べるのを基本とし、各段は全て前に９０度回転させ、
ステップｄ、第四面の図を貼り、Ａ段１列、Ａ段２列、ｂ段１列、ｃ段１列、ｃ段２列にトリック用の図案３０を貼って、完成後、各段を縦に並べるのを基本とし、各段は全て左に９０度回転させ、
ステップｅ、第五面の図を貼り、Ａ段８列、ｂ段１列、Ｂ段３列、Ｂ段８列、Ｂ段９列、ｃ段８列にトリック用の図案３０を貼って、完成後、各段を縦に並べるのを基本とし、各段は全て左に１８０度回転させ、
ステップｆ、Ａ段５列、ａ段６列、Ｂ段１列、Ｂ段３列、ｃ段５列にトリック用の図案３０を貼って、第六面の図が完成させるというステップで完成させるという特長を持つ、立体パズルにおける図の貼り方。
【請求項２】
取り出し用の立体キューブがＢ段２列に設置されている、請求項１に記載の立体パズルにおける図の貼り方。
【請求項３】
中間キューブがＢ段５列に設置されている、請求項１に記載の立体パズルにおける図の貼り方。
【請求項４】
トリック用の図案に図を貼らない、請求項１に記載の立体パズルにおける図の貼り方。
【請求項５】
トリック用の図案が設定した解答図案と異なる他の図案に取って代わる、請求項１に記載の立体パズルにおける図の貼り方。
【請求項６】
いずれの貼る図案もその貼る位置と方向に規則がある、請求項１に記載の立体パズルにおける図の貼り方。
【請求項７】
数個の立体キューブを設置するフレームユニットからなり、その数個の立体キューブは、他の立体キューブより体積のやや大きい中間キューブ及び取り出し用のキューブを含み、
取り出し用のキューブは中が空洞状の本体で、その四つの側面には少なくとも二個以上の弾力性のある固定金具があって、本体にはさらに対応する両側にくぼみがあり、どのくぼみも上方に突起点があって、本体底部の中央に上向きに中間柱があって数個の交換用図案を収納し、どの交換用図案も両側に対称に二つの水平なはめ込み槽があって交換用図案のどの一面でも、取り出し用立体キューブをくぼみ内にはめ込む時に、常に突起点がはめ込み槽の中にはまり込むことにより、交換用図案を固定するという特長を持つ、立体パズル構造。
【請求項８】
いずれの交換用図案の表面にもパズルとしてのシールが貼ってある、請求項７に記載の立体パズル構造。
【発明の詳細な説明】
【技術分野】
【０００１】
本発明は立体パズルにおける図の貼り方および立体パズル構造に関する。本発明の立体パズルにおける図の貼り方は、立体パズルの各面に特定の方法で図を貼り付けることによって、多様なパズルの遊び方及び解答可能となる上、一部のパズルに何らかのトリックをしかけることで、ゲームの困難度を高めて、チャレンジ性を持たせることができるという特長を持つ。
【背景技術】
【０００２】
従来の六面体パズル（ルービックキューブ）は、最も初期の３×３×３の構造（つまり立方体のどの面も３×３のブロックがあり、6面で合計２６のブロックがあって、中心のベース部分を回転するようになっている。この回転により位置を変えるという仕組みになっている）から、後に４×４×４及び５×５×５の形態まで発展している。
しかしながら、これらの六面体パズルの遊び方は元の色あるいは図案を回転させて乱した後、再び元の色あるいは図案に戻すというものでしかない。多くの場合、何度か試みた後、うまく完成できず、自信をなくすか、飽きるかで遊ぶことをやめてしまう。このため、これらのタイプの六面体パズルはすぐに新鮮さがなくなり、興味を引かなくなると考えられる。
従来の欠点を鑑み、本発明者は日本に実用新案登録第３０８２３５１号の「立体パズル」を提出した。この実用新案は、従来のパズル構造を改良し、新しい立体パズルを提供した。
すでに登録済みの「立体パズル」に創意と高難度の遊び方をもたせるために、本発明では図の貼り方を提供して、そのおもしろみを増した。
【特許文献１】実用新案登録第３０８２３５１号
【発明の開示】
【発明が解決しようとする課題】
【０００３】
従来の「立体パズル」に創意と高難度の遊び方をもたせ、そのおもしろみを増すことを課題とする。
【課題を解決するための手段】
【０００４】
本発明の立体パズルにおける図の貼り方は、中間キューブ及び複数のパズル用図案のある取り出し用立体キューブを含む２７個の立体キューブからなる。これらの２７個のキューブはＡ、Ｂ、Ｃの三段に配列され、合計９列ある。その貼り合わせは、ステップａ、全部で２７個の立体キューブを展開して並べる：第一面の図を張り、完成後、横に並べるのを基本とし、どの段も前に９０度回転させる。
ステップｂ、第二面の図を貼り、完成後、横に並べるのを基本とし、どの段も前に９０度回転させる。
ステップｃ、第三面の図を貼り、完成後、横に並べるのを基本とし、どの段も前に９０度回転させる。
ステップｄ、第四面の図を貼り、完成後、縦に並べるのを基本とし、どの段も左に９０度回転させる。
ステップｅ、第五面の図を貼り、完成後、縦に並べるのを基本とし、どの段も左に１８０度回転させる。
ステップｆ、第六面の図を貼って完成させる。貼り方にしたがって既定の位置に図を貼りつけると、三種類の解答貼り絵の図案が得られる。数個のキューブの貼り合わせ面にはトリックの図が貼ってある。どの図も、空白図案やその他の図案にすることが可能であるため、これらのトリック用の図案を設けることにより、操作時の困難度やチャレンジ性が増すという特長を持つ。
【発明の効果】
【０００５】
本発明は、立体パズルを操作する面白さを高め、興味を引き立てて、一般のキュービックよりチャレンジ性の高い遊び方ができるという効果がある。
【発明を実施するための最良の形態】
【０００６】
図１及び図２を参照いただきたい。本発明は３×３×３の構造をしていて、その立方体はいずれも３×３のキューブである。六面で合計２６個の立体キューブ１０がある。２６個の立体キューブには取り出し用のキューブ６０も含まれる。そして、２６個の立体キューブ１０は中心構造に設けられた中間キューブ５０を周囲を回転して位置を変えられるようになっている。その中間キューブ５０の体積はその他の２６個の立体キューブよりやや大きい。故に、その中間キューブ５０は中間の位置に留まり、むやみに位置を変えることがない。
【０００７】
本発明を実施する方法は、図２から図９を参照いただきたい。２５個の立体キューブに、体積のやや大きい中間キューブ５０及び取り出し用のキューブ６０を加え、合計２７個のキューブがある。２７個のキューブはＡ、Ｂ、Ｃの三段に配列され、合計９列ある。取り出し用のキューブ６０は、Ｂ段の第２列の位置に配置する。中間キューブ５０は、Ｂ段の第５列の位置に配置する。その他は立体キューブ１０である。図案を貼る過程において、中間キューブ５０の設置位置は固定されているため図は貼らない。そして、取り出し用キューブ６０は、まず図案にしたがい、その表面にあらかじめ図案を貼っておく。その貼り方の順序は以下のとおりである。
【０００８】
ステップａ、全部で２７個の立体キューブに図案を貼る。Ｂ段の４列、Ｂ段の９列、Ｃ段の２列、Ｃ段の８列にはトリック用の図案３０を貼る。図案を貼ったり、他の図案と交代してはならない。完成後、各段を横に並べるのを基本とする。各段は全て前に９０度回転させる。
ステップｂ、第二面の図を貼る。Ａ段１列、Ａ段３列、Ｂ段３列、Ｃ段１列、Ｃ段３列にトリック用の図案３０を貼る。図案を貼ったり、他の図案と交代してはならない。完成後、各段を横に並べるのを基本とする。各段は全て前に９０度回転させる。
ステップｃ、第三面の図を貼る。Ａ段２列、Ａ段6列、Ａ段7列、Ｂ段４列、Ｂ段９列にトリック用の図案３０を貼る。図案を貼ったり、他の図案と交代してはならない。完成後、各段を横に並べるのを基本とする。各段は全て前に９０度回転させる。
ステップｄ、第四面の図を貼る。Ａ段１列、Ａ段２列、ｂ段１列、ｃ段１列、ｃ段２列にトリック用の図案３０を貼る。図案を貼ったり、他の図案と交代してはならない。完成後、各段を縦に並べるのを基本とする。各段は全て左に９０度回転させる。
ステップｅ、第五面の図を貼る。Ａ段８列、ｂ段１列、Ｂ段３列、Ｂ段８列、Ｂ段９列、ｃ段８列にトリック用の図案３０を貼る。図案を貼ったり、他の図案と交代してはならない。完成後、各段を縦に並べるのを基本とする。各段は全て左に１８０度回転させる。
ステップｆ、Ａ段５列、ａ段６列、Ｂ段１列、Ｂ段３列、ｃ段５列にトリック用の図案３０を貼る。図案を貼ったり、他の図案と交代してはならない。第六面の図が完成する。
【０００９】
上述のどの図案も図式に全て記号をつけてある。さらに、本発明の規則にしたがい、一定の位置に設置する。このため、どの図案２０も立体キューブ１０の貼り合わせ面１０１に貼る際の方向が、上か下か、左か右かは、全て正確な解答を得るために必要な要素となるため、正確でなければならない。
【００１０】
図２、図１１から図１３を参照いただきたい。上述の方法で図案２０を立体キューブ１０の貼り合わせ面１０１に貼ると、三種類の解答が得られる。どの解答も六面あり、パズルとして完全な図案になる。そのうち、図１１は、第一種の解答が構成する六面の展開図の図案である。これは共用のキューブ４０があり、その位置はＦ１である。このＦ１は第二種の解答におけるＬ２と共用である。図１２は、第二種解答が構成する図案である。それは六面の展開図案を構成し、さらに、第二種の貼る図には共用の図案はない。
【００１１】
図１３は、第三種の解答の展開した状態の六面の貼る図の図案である。共用の図案は使用する量が多い。共用の図案について言えば、Ｍゾーンの図案において、第一種の解答と共用する図案はＭ１とＡ９、Ｍ２とＡ８、Ｍ３とＡ７、Ｍ７とＡ３、Ｍ９とＡ２である。そして、第二種の図案と共用するのはＭ８とＧ２である。Ｎゾーンの図案において、第一種の解答と共用する図案は、Ｎ１とＢ７、Ｎ３とＢ１、Ｎ４とＢ８、Ｎ６とＢ３、Ｎ７とＢ９、Ｎ９とＢ２である。Ｏゾーンの図案において、第一種の解答と共用する図案は、Ｏ１とＣ９、Ｏ２とＣ４、Ｏ３とＣ７、Ｏ４とＣ８、Ｏ６とＣ２、Ｏ７とＣ３、Ｏ９とＣ１である。Ｐゾーンの図案において、第一種の解答と共用する図案は、Ｐ１とＤ９、Ｐ３とＤ７、Ｐ４とＤ６、Ｐ６とＤ１、Ｐ７とＤ３、Ｐ９とＤ４である。Ｒゾーンの図案において、第一種の解答と共用する図案は、Ｒ１とＦ６、Ｒ２とＦ３、Ｒ３とＦ９、Ｒ７とＦ１、Ｒ８とＬ２、Ｒ９とＦ７である。以上、これらの標示は全て共用性の貼る図案である。
【００１２】
上記の方法によって、図案を既定の位置に貼り付ると、三種類の解答図案が得られる。数個のキューブ貼り合わせ面にはトリック用の図案３０が設置されていて、どの図案も空白、あるいは、その他の無関係の図案が設置されている。このため、これらのトリック用の図案３０の設置は、操作時の困難度や挑戦性を増すことができる。そして、これらの共用図案の設置は図案の解答を得るために必要な貼り方である。そして、いずれの解答においても、共用の図案４０は立体キューブ１０の張り合わせ面１０１を占領することはない。このため、空いた貼り合せ面１０１はトリック用の図案３０を設置することができる。
【００１３】
この数個の立体キューブ１０は、一定の方法で図案の貼り終えた後、これらの立体キューブ１０を順序良くフレーム１の中に固定する。その構造は図１４から図１７を参照いただきたい。上述の、数個の立体キューブ１０を収納するフレーム１は、その周辺が網目１１になっていて、２７個の立体キューブ１０を包んで固定する。このフレーム１は、数個の立体キューブ１０を組み立てて設置するのに便利なようになっている。フレーム１は側面が開放式の構造になっていて、これらの立体キューブ１０は順序に従ってフレーム１に収納した時、ふた１２によってフレーム１を固定して、立体キューブ１０を固定させる。
【００１４】
本発明には三種類の解答図案があり、このため、パズルゲームをする時、その取り出し用のキューブ６０を取り出してはじめてゲームを始めることができる。しかしながら、完成した図案の中の一面は、取り出し用のキューブ６０を取り出したことで、図案が一つ欠けている。この時、その取り出し用のキューブ６０によってパズルを完成しなければならない。
【００１５】
取り出し用のパズル６０の構造は、本体６０１の四つの側面に、二つ以上の弾力性のある固定金具６０２がある。本体６０１の対応する両側には、上方にくぼみ６０３がある。いずれのくぼみ６０３も、上方に一対の突起点６０４がある。本体６０１の底部中央には中間柱６０５があって、この中間柱６０５は、数個の交換用図案６０６を、穴６０７を貫通して固定する。どの交換用図案６０６も表面に図案シールが貼ってある。いずれの交換用図案６０６も、両側に対称に二つの水平なはめ込み槽６０７があって、交換用図案６０６をどの一面でも、取り出し用立体キューブ６０をくぼみ６０３内にはめ込む時に、常に突起点６０４がはめ込み槽６０８の中にはまり込むことにより、交換用図案６０６を固定するようになっている。
【００１６】
本発明の実施例は、立体パズルを操作する面白さを高め、興味を引き立てて、一般のキュービックよりチャレンジ性の高い遊び方ができるという特長がある。このため、本発明の実施例における立体パズルのキューブにはトリックが設けられていて、数個の共用する図案キューブ、多種類の解答方法を持ち、その提供する数種の解答方法によって三種のそれぞれ異なる図案が得られ、いずれの解答も六面の図案になっていて、このため、三種類の解答は全部で十八種類の図案が現れることになる。
【００１７】
本発明には以下のような特長がある。
１、   
本発明の図の貼り方は既定の規則にしたがって実施しなければならない。そして、一部の立体キューブの表面にはトリックがあり、ゲームの困難度及びチャレンジ性を高めている。
２、   
共用のシールを必要とし、完成した部分の図案に共同の使用特性を持つ。したがって、面白さが増す外、これらの共用シールは必要な貼り方である。このようにしてこそ、図案の解答が得られるようになっている。
３、   
本発明の解答方法は、全部で三種類十八面の解答図案がある。また、三種類の表面の図案が異なるキューブにすることも可能である。
正確な各種の図案解答を得るために、本発明の図案の貼り方には以下のようなステップがある。
ステップａ、全部で２７個の立体キューブを展開して並べる：第一面の図を張り、完成後、横に並べるのを基本とし、どの列も前に９０度回転させる。
ステップｂ、第二面の図を貼り、完成後、横に並べるのを基本とし、どの段も前に９０度回転させる。
ステップｃ、第三面の図を貼り、完成後、横に並べるのを基本とし、どの段も前に９０度回転させる。
ステップｄ、第四面の図を貼り、完成後、縦に並べるのを基本とし、どの段も左に９０度回転させる。
ステップｅ、第五面の図を貼り、完成後、縦に並べるのを基本とし、どの段も左に１８０度回転させる。
ステップｆ、第六面の図を貼って完成させる。
上述の順序で図を貼って完成させた立体キューブを順序にしたがってフレームの中に入れて固定する。そして、取り出し用の立体キューブを取り出して、フレームの網目の中を移動する立体キューブがパズルとして入れ替えられるようにする。また、並べ終えたその面は必ず図案が一つ欠け、この面のパズルの図案は取り出した立体キューブの中に隠されていて、その取り出した立体キューブによって最後にパズルが完成するようになっている。
【図面の簡単な説明】
【００１８】
【図１】本発明のパズルを組み合わせた状態の立体図である。
【図２】本発明のパズルを各層に分解した状態を示した立体分解図である。
【図３】本発明のパズルにおける全ての立体キューブを配列した実施例の第一面の図を貼った状態を示した図である。
【図４】本発明のパズルにおける立体キューブの実施例の第二面の図を貼った状態を示した図である。
【図５】本発明のパズルにおける立体キューブの実施例の第三面の図を貼った状態を示した図である。
【図６】本発明のパズルにおける立体キューブの実施例の第四面の図を貼った状態を示した図である。
【図７】本発明のパズルにおける立体キューブの実施例の第五面の図を貼った状態を示した図である。
【図８】本発明のパズルにおける立体キューブの実施例の第六面の図を貼った状態を示した図である。
【図９】本発明のパズルに図を貼る順序を示したフローチャートである。
【図１０】本発明の立体キューブの図を貼る面を展開した状態を示した図である。
【図１１】本発明の立体キューブに第一図面を貼って展開した状態を示した図である。
【図１２】本発明の立体キューブに第二図面を貼って展開した状態を示した図である。
【図１３】本発明の立体キューブに第三図面を貼って展開した状態を示した図である。
【図１４】本発明のパズルキューブの構造を示した図である。
【図１５】本発明のパズルキューブの構造の立体分解図である。
【図１６】本発明の取り出し用の立体キューブの構造の立体分解図である。
【図１７】本発明の取り出し用の立体キューブの構造を側面から見た平面図である。
【符号の説明】
【００１９】
１０        立体キューブ
１０１      貼りあわせ面
２０        貼った図案
３０        トリック用の図案
４０        共用の図案
５０        中間キューブ
６０        取り出し用立体キューブ
６０１      本体
６０２      弾力性のある固定金具
６０３      くぼみ
６０４      固定突起点
６０５      中間柱
６０６      交換用の図案
６０７      穴
６０８      はめ込み槽
１          フレームユニット
１１        網目
１２        ふた
【図１】
2007143707.tif 000003
【図２】
2007143707.tif 000004
【図３】
2007143707.tif 000005
【図４】
2007143707.tif 000006
【図５】
2007143707.tif 000007
【図６】
2007143707.tif 000008
【図７】
2007143707.tif 000009
【図８】
2007143707.tif 000010
【図９】
2007143707.tif 000011
【図１０】
2007143707.tif 000012
【図１１】
2007143707.tif 000013
【図１２】
2007143707.tif 000014
【図１３】
2007143707.tif 000015
【図１４】
2007143707.tif 000016
【図１５】
2007143707.tif 000017
【図１６】
2007143707.tif 000018
【図１７】
2007143707.tif 000019
【手続補正書】
【提出日】平成17年12月26日(2005.12.26)
【手続補正１】
【補正対象書類名】図面
【補正対象項目名】図１３
【補正方法】変更
【補正の内容】
【図１３】
2007143707.tif 000020